(57)【要約】  【構成】  ランプ２２は、キー入力装置２６による電源オン操作に応答してオフ状態からオン状態に移行し、キー入力装置２６による電源オフ操作に応答してオン状態からオフ状態に移行する。タイマカウンタ２８は、今回の電源オフ操作から次回の電源オン操作までの期間をカウントする。カウント値は、フラッシュメモリ３０に形成されたレジスタ３０ｒに登録される。ＣＰＵ２４は、レジスタ３０ｒに登録された最新の５０個のカウント値の中のうちの最小カウント値について、数値が閾値（＝３００秒）を下回るか否かを判別する。判別結果が肯定的であれば、ＣＰＵ２４は、電源オフ操作に応答してランプ２２をオフ状態に移行させるタイミングを所定期間（＝３００秒）にわたって遅延させる。  【効果】  無駄な電力消費が回避しつつ、ランプの寿命を延長することができる。【選択図】  図１
2005274747.tif 000002
【特許請求の範囲】
【請求項１】
電源オン操作に応答してオフ状態からオン状態に移行し、電源オフ操作に応答して前記オン状態から前記オフ状態に移行するランプ、
今回の前記電源オフ操作から次回の前記電源オン操作までの期間を測定する測定手段、
前記測定手段によって測定された最新のＮ個（Ｎ：２以上の整数）の測定値のうちの最小値について数値が閾値を下回るか否かを判別する判別手段、および
前記判別手段の判別結果が肯定的であるとき前記電源オフ操作に応答して前記ランプを前記オフ状態に移行させるタイミングを所定期間にわたって遅延させる遅延手段を備える、ランプ制御装置。
【請求項２】
前記所定期間に相当する時期に前記ランプの明るさを低減する低減手段をさらに備える、請求項１記載のランプ制御装置。
【請求項３】
前記所定期間に相当する時期に前記電源オン操作が行われたとき前記ランプの明るさを元に戻す復帰手段をさらに備える、請求項２記載のランプ制御装置。
【請求項４】
前記測定手段による測定値を記憶する記憶手段、および
前記記憶手段によって記憶された前記最新のＮ個の測定値の中から前記最小値を検出する検出手段をさらに備え、
前記判別手段は前記検出手段によって検出された最小値について判別動作を行う、請求項１ないし３のいずれかに記載のランプ制御装置。
【請求項５】
請求項１ないし４のいずれかに記載のランプ制御装置を備える、液晶プロジェクタ。
【発明の詳細な説明】
【技術分野】
【０００１】
この発明は、ランプ制御装置に関し、特に液晶プロジェクタのような投射型画像表示装置に適用され、電源オン操作が行われたときにランプを点灯させ、電源オフ操作が行われたときにランプを消灯させる、ランプ制御装置に関する。
【背景技術】
【０００２】
従来のこの種のランプ制御装置の一例が、特許文献１に開示されている。この従来技術によれば、電源オフ操作が行われると、映像出力が中止され、タイマカウンタが起動する。タイマカウンタによる測定時間が所定値に達する前に電源オン操作が行われると、タイマカウンタがリセットされ、映像出力が再開される。タイマカウンタによる測定時間が所定値に達すると、投影用ランプが消灯される。投影用ランプが一旦消灯されると、所定時間にわたって電源オン操作が禁止される。これによって、点灯／消灯の頻繁な切り換えに弱い投影用ランプの寿命を延長することができる。
【特許文献１】実開平４−７２２３４号公報［Ｇ０３Ｂ２１／１４，２１／００］
【発明の開示】
【発明が解決しようとする課題】
【０００３】
しかし、従来技術では、電源オフ操作からランプ消灯までの猶予期間が固定されているため、オペレータの操作特性が装置の動作に反映されず、無駄な電力を消費してしまう場合があった。
【０００４】
それゆえに、この発明の主たる目的は、無駄な電力消費を回避しつつ、ランプの寿命を延長させることができる、ランプ制御装置を提供することである。
【課題を解決するための手段】
【０００５】
請求項１の発明に従うランプ制御装置は、電源オン操作に応答してオフ状態からオン状態に移行し、電源オフ操作に応答してオン状態からオフ状態に移行するランプ、今回の電源オフ操作から次回の電源オン操作までの期間を測定する測定手段、測定手段によって測定された最新のＮ個（Ｎ：２以上の整数）の測定値のうちの最小値について数値が閾値を下回るか否かを判別する判別手段、および判別手段の判別結果が肯定的であるとき電源オフ操作に応答してランプをオフ状態に移行させるタイミングを所定期間にわたって遅延させる遅延手段を備える。
【０００６】
ランプは、電源オン操作に応答してオフ状態からオン状態に移行し、電源オフ操作に応答してオン状態からオフ状態に移行する。今回の電源オフ操作から次回の電源オン操作までの期間は、測定手段によって測定される。判別手段は、測定された最新のＮ個（Ｎ：２以上の整数）の測定値うちの最小値について、数値が閾値を下回るか否かを判別する。ここで、判別結果が肯定的であれば、電源オフ操作に応答してランプをオフ状態に移行させるタイミングが、遅延手段によって所定期間にわたって遅延される。
【０００７】
今回の電源オフ操作から次回の電源オン操作までの期間を示す最新のＮ個の測定値は、オペレータの最近の操作特性を示すこととなる。遅延手段は、かかる操作特性を考慮して、ランプをオフ状態に移行させるタイミングを遅延させる。これによって、無駄な電力消費が回避しつつ、ランプの寿命を延長することができる。
【０００８】
請求項２の発明に従うランプ制御装置は、請求項１に従属し、所定期間に相当する時期にランプの明るさを低減する低減手段をさらに備える。これによって、現在の状態が電源オン状態と誤解する事態を回避することができる。
【０００９】
請求項３の発明に従うランプ制御装置は、請求項２に従属し、所定期間に相当する時期に電源オン操作が行われたときランプの明るさを元に戻す復帰手段をさらに備える。
【００１０】
請求項４の発明に従うランプ制御装置は、請求項１ないし３のいずれかに従属し、測定手段による測定値を記憶する記憶手段、および記憶手段によって記憶された最新のＮ個の測定値の中から最小値を検出する検出手段をさらに備え、判別手段は検出手段によって検出された最小値について判別動作を行う。
【００１１】
請求項５の発明に従う液晶プロジェクタは、請求項１ないし４のいずれかに記載のランプ制御装置を備える。
【発明の効果】
【００１２】
この発明によれば、今回の電源オフ操作から次回の電源オン操作までの期間を示す最新のＮ個の測定値に基づいて、ランプをオフ状態に移行させるタイミングが制御される。これによって、無駄な電力消費が回避しつつ、ランプの寿命を延長することができる。
【００１３】
この発明の上述の目的、その他の目的、特徴および利点は、図面を参照して行う以下の実施例の詳細な説明から一層明らかとなろう。
【発明を実施するための最良の形態】
【００１４】
図１を参照して、この実施例の液晶プロジェクタは、ＡＣ／ＤＣコンバータ１４を含む。ＡＣプラグ１２を通して取り込まれた商用交流電圧は、ＡＣ／ＤＣコンバータ１４によって直流電圧に変換される。バックアップ電源は、ＡＣ／ＤＣコンバータ１４からの直流電圧によって充電され、ＣＰＵ２４を常に起動させる。
【００１５】
ランプ２２が消灯されかつ冷却ファン２０が不能化されている状態でキー入力装置２６によって電源オン操作が行われると、ＣＰＵ２４は、電源回路１８に含まれるＤＣ／ＤＣコンバータ１８ａおよび１８ｂをオンする。ＤＣ／ＤＣコンバータ１８ａおよび１８ｂはそれぞれ、ＡＣ／ＤＣコンバータ１４からの直流電圧を映像処理用直流電圧およびランプ用直流電圧に変換し、変換された直流電圧を映像処理系３２およびランプ（メタルハライドランプ）２２に与える。これによって、映像処理系３２が起動し、ランプ２２が点灯する。
【００１６】
タイマカウンタ２８は、前回の電源オフ操作に応答して起動される。ＣＰＵ２４は、電源オン操作に応答してこのタイマカウンタ２８を停止し、タイマカウンタ２８の現時点のカウント値をフラッシュメモリ３０内に形成されたレジスタ３０ｒに登録する。図２を参照して、レジスタ３０ｒは５０個のカラムを有し、各々のカラムに識別番号が割り当てられている。タイマカウンタ２８のカウント値は、識別番号に従う順序で循環的に各々のカラムに書き込まれる。これによって、最新の５０個のカウント値がレジスタ３０ｒに確保される。
【００１７】
ＣＰＵ２４は、レジスタ３０ｒに登録されたカウント値の中から最小カウント値を検出し、この最小カウント値が示す数値に応じて延長フラグexflgを“１”または“０”に設定する。最小カウント値が“３００秒”を下回るときは、延長フラグexflgが“１”に設定され、最小カウント値が“３００秒”以上であれば、延長フラグexflgは“０”に設定される。なお、レジスタ３０ｒのカラムに設定された初期値が“０”である。従って、最初の５０回は、延長フラグexflgは必ず“１”に設定される。
【００１８】
図１に戻って、電源オン操作の後にキー入力装置２６によって画像再生操作が行われると、ＣＰＵ２４は、映像処理系に再生処理を命令する。Ｉ／Ｆ回路３８は記録媒体４６から映像データを読み出し、読み出された映像データを映像信号回路３６に与える。映像信号回路３６は、与えられた映像データをＲＧＢ信号に変換し、変換されたＲＧＢ信号を液晶駆動回路３４に入力する。
【００１９】
液晶駆動回路３４は、ＲＧＢ信号に含まれるＲ成分に基づいて液晶パネル４０を駆動し、ＲＧＢ信号に含まれるＧ成分に基づいて液晶パネル４２を駆動し、そしてＲＧＢ信号に含まれるＢ成分に基づいて液晶パネル４４を駆動する。液晶パネル４０，４２および４４の背面にはランプ２２の光が照射され、これによって所望の映像が画面に現れる。
【００２０】
キー入力装置２６によって電源オフ操作が行われると、ＣＰＵ２４は、映像処理系３２を不能化するべくＤＣ／ＤＣコンバータ１８ａをオフし、次回の電源オン操作までの時間を測定するべくタイマカウンタ２８のリセット＆スタートを行う。
【００２１】
ＣＰＵ２４はまた、延長フラグexflgの状態を判別し、exflg＝１であれば３００秒わたってランプ２２の明るさを最小値に設定し、その後にランプ２２を消灯するべくＤＣ／ＤＣコンバータ１８ｂをオフする。一方、exflg＝０でれば、ＣＰＵ２４は、速やかにＤＣ／ＤＣコンバータ１８ｂをオフする。ランプ２２の消灯後、ＣＰＵ２４は、冷却ファン２０を起動するべく９０秒にわたってＤＣ／ＤＣコンバータ１８ｃをオンする。消灯したランプ２２は、冷却ファン２０によって強制的に冷却される。
【００２２】
なお、ランプ２２が最小値の明るさで点灯しているときに電源オン操作が行われると、ランプ２２の明るさが最大値まで戻される。
【００２３】
このように、電源オフ操作が行われたときにランプ２２を速やかに消灯するか所定期間にわたって点灯し続けるかは、過去の電源オン／オフ操作特性に基づいて判断される。これによって、ランプ２２の無駄な点灯が極力回避され、消費電力の削減が可能となる。また、ランプ２２を点灯し続ける場合でも、明るさは最小値に設定されるため、電源オフ操作を行ったオペレータに混乱を与えることはない。
【００２４】
ＣＰＵ１４は、μＩＴＲＯＮのようなマルチタスクＯＳを搭載したマルチタスクＣＰＵであり、図３に示す電源制御タスク１および図４に示す電源制御タスク２を含む複数のタスクを並列的に実行する。なお、このフロー図に対応する制御プログラムは、フラッシュメモリ３０に記憶されている。
【００２５】
図３を参照して、ステップＳ１では、電源オン操作が行われたか否かを判別する。ここでＹＥＳであればステップＳ３に進み、冷却ファン２０が起動中であるか否かを判別する。冷却ファン２０が起動中であればステップＳ１に戻り、冷却ファン２０が停止状態であればステップＳ５に進む。
【００２６】
ステップＳ５では、ランプ２２が点灯中であるか否か判別する。ランプ２２が消灯状態であれば、ステップＳ７でランプ２２を点灯させるべくＤＣ／ＤＣコンバータ１８ｂをオンしてからステップＳ１１に進むが、ランプ２２が点灯中であればステップＳ９でランプ２２の明るさを最大値に設定してからステップＳ１１に進む。
【００２７】
ステップＳ１１では映像処理系を起動するべくＤＣ／ＤＣコンバータ１８ａをオンし、続くステップＳ１３ではタイマカウンタ２８を停止する。ステップＳ１５では、タイマカウンタ２８のカウント値を図２に示すレジスタ３０ｒに登録する。カウント値は、識別番号に従う順序で循環的に各々のカラムに書き込まれる。
【００２８】
ステップＳ１７ではレジスタ３０ｒから最小カウント値を検出し、ステップＳ１９では最小カウント値が“３００秒”を下回るか否かを判別する。ここでＹＥＳであればステップＳ２１で延長フラグexflgを“１”に設定するが、ＮＯであればステップＳ２３で延長フラグexflgを“０”に設定する。ステップＳ２１またはＳ２３の処理が完了すると、ステップＳ２５で電源オフ操作が行われたか否かを判別し、ＹＥＳと判別されたときにステップＳ１に戻る。
【００２９】
図４を参照して、ステップＳ３１では電源オフ操作が行われたか否かを判別する。ここでＹＥＳであれば、ステップＳ３３で映像処理系３２を不能化するべくＤＣ／ＤＣコンバータ１８ａをオフし、ステップＳ３５でタイマカウンタ２８のリセット＆スタートを行う。タイマカウンタ２８のカウント値は、映像処理系３２のオフ期間を示すこととなる。
【００３０】
ステップＳ３７では延長フラグexflgの状態を判別し、延長フラグexflgが“１”であれば、ステップＳ３９でランプ２２の明るさを最小値に設定する。ステップＳ４１では３００秒経過したか否かを判別し、ステップＳ４２では電源オン操作が行われたか否かを判別する。電源オン操作が行われないうちに３００秒が経過するとステップＳ４３に進み、３００秒が経過するまでに電源オン操作が行われるとステップＳ３１に戻る。一方、ステップＳ３７で延長フラグexflgが“０”と判断されると、そのままステップＳ４３に進む。
【００３１】
ステップＳ４３ではランプ２２を消灯するべくＤＣ／ＤＣコンバータ１８ｂをオフし、ステップＳ４５では冷却ファン２０を起動するべくＤＣ／ＤＣコンバータ１８ｃをオンする。冷却ファン２０の起動から９０秒が経過すると、ステップＳ４７からステップＳ４９に進み、冷却ファン２０を不能化するべくＤＣ／ＤＣコンバータ１８ｃをオフする。ステップＳ５１では電源オン操作が行われたか否かを判別し、ＹＥＳであればステップＳ３１に戻る。
【００３２】
以上の説明から分かるように、ランプ２２は、キー入力装置２６による電源オン操作に応答してオフ状態からオン状態に移行し、キー入力装置２６による電源オフ操作に応答してオン状態からオフ状態に移行する。タイマカウンタ２８は、今回の電源オフ操作から次回の電源オン操作までの期間を測定する。測定値（カウント値）は、フラッシュメモリ３０に形成されたレジスタ３０ｒに登録される。ＣＰＵ２４は、レジスタ３０ｒに登録された最新の５０個のカウント値の中から最小カウント値を検出し(S17)、この最小カウント値が閾値（＝３００秒）を下回るか否かを判別する(S19)。判別結果が肯定的であれば、ＣＰＵ２４は、電源オフ操作に応答してランプ２２をオフ状態に移行させるタイミングを所定期間（＝３００秒）にわたって遅延させる(S41)。ＣＰＵ２４はまた、この遅延期間にランプ２２の明るさを低減させる(S39)。
【００３３】
レジスタ３０ｒに登録された最新の５０個のカウント値は、最近の電源オン／オフ操作特性を示すこととなる。ＣＰＵ２４は、かかる操作特性を考慮して、ランプ２２をオフ状態に移行させるタイミングを遅延させる。これによって、無駄な電力消費を回避しつつ、ランプの寿命を延長することができる。また、遅延期間にランプ２２の明るさを低減させることで、現在の状態が電源オン状態と誤解する事態を回避することができる。
【図面の簡単な説明】
【００３４】
【図１】この発明の一実施例の構成を示すブロック図である。
【図２】図１実施例に適用されるレジスタの一例を示す図解図である。
【図３】図１実施例に適用されるＣＰＵの動作の一部を示すフロー図である。
【図４】図１実施例に適用されるＣＰＵの動作の他の一部を示すフロー図である。
【符号の説明】
【００３５】
１０…液晶プロジェクタ
１８…主電源回路
２０…ランプ電源回路
２２…光源ランプ
２４…ＣＰＵ
２６…電源スイッチ
２８…タイマカウンタ
３０…フラッシュメモリ
３２…冷却ファン
【図１】
2005274747.tif 000003
【図２】
2005274747.tif 000004
【図３】
2005274747.tif 000005
【図４】
2005274747.tif 000006